(57)【要約】【課題】奥行き寸法の低減を図るとともに、釦配列の自由度を増し、かつ堅牢なエレベータのかご内横型操作盤の提供。【解決手段】乗かごの行先階を登録する階床釦２と、エレベータのドアを開閉させる戸開閉釦３と、これらの釦２、３が取付けられる表板５と、釦２、３とエレベータの制御盤との間で各種信号の授受を行うプリント基板６と、その開口部が表板５で覆われるとともに、プリント基板６が収納されるボックス７とを有して成るエレベータのかご内横型操作盤１において、プリント基板６を表板５と重なり合わないように下方にずらし、かご側板の裏側に位置するように配置するとともに、釦２、３、プリント基板６及び制御盤とを接続手段（１０、１１、１２、１３）により接続するものである。【選択図】図１
2009113938.tif 000002
【特許請求の範囲】
【請求項１】
乗かごの行先階を登録する階床釦と、エレベータのドアを開閉させる戸開閉釦と、これらの釦が取付けられる表板と、前記釦とエレベータの制御盤との間で各種信号の授受を行うプリント基板と、その開口部が前記表板で覆われるとともに、前記プリント基板が収納されるボックスとを有して成るエレベータのかご内横型操作盤において、
前記プリント基板を前記表板と重なり合わないように下方にずらし、かご側板の裏側に位置するように配置するとともに、前記釦、前記プリント基板及び前記制御盤とを接続手段により接続することを特徴としたエレベータのかご内横型操作盤。
【請求項２】
前記接続手段は、前記釦に接続される釦ハーネスと、前記プリント基板の上部に備えられ、前記釦ハーネスが接続される上部コネクタと、前記プリント基板の下部に備えられ、制御盤ハーネスが接続される下部コネクタとを備えることを特徴とした請求項１記載のエレベータのかご内横型操作盤。
【請求項３】
前記ボックスの内壁に、コネクタ接続情報が記された銘板を設けたことを特徴とした請求項１記載のエレベータのかご内横型操作盤。
【請求項４】
前記プリント基板は、スライド手段により上下方向にスライド可能に支持されることを特徴とした請求項１記載のエレベータのかご内横型操作盤。
【請求項５】
前記スライド手段は、前記プリント基板を上下方向に案内するレール部と、前記ボックスの所定高さ位置に配置され、前記プリント基板の下部が当接するストッパと、上方にスライドした前記プリント基板を所定高さ位置で保持する保持体とを備えることを特徴とした請求項４記載のエレベータのかご内横型操作盤。
【請求項６】
前記ボックスの所定位置に設けられる回転用ガイドと、一端が前記回転用ガイドに回転自在に軸支されるプレートと、一端が前記プリント基板の下部、他端が前記プレートの他端にそれぞれ接続される連結棒とを備えるとともに、前記回転用ガイド及び前記プレートに前記制御盤ハーネスを係合させ、前記連結棒を介して前記プリント基板のスライドに連動して前記プレートを回転させることで前記制御盤ハーネスの動きを抑制することを特徴とした請求項４記載のエレベータのかご内横型操作盤。
【発明の詳細な説明】
【技術分野】
【０００１】
本発明は、乗かごの側板に設置されるエレベータのかご内横型操作盤に関するものである。
【背景技術】
【０００２】
乗かご内に設けられる操作盤、特に、乗かごの側板に横長に設置されるエレベータのかご内横型操作盤にあって、省スペース化の観点からその奥行き寸法を低減することが望まれている。
【０００３】
そこで従来、図５に示すように、プリント基板１０６に、乗かごの行先階を登録する階床釦１０２、エレベータのドアを開閉させる戸開閉釦１０３等を実装し、プリント基板１０６が収納されるボックス１０７の奥行き寸法を低減するようにしたものが提案されている（例えば、特許文献１参照）。
【特許文献１】特開平５−１５５５６５号公報
【発明の開示】
【発明が解決しようとする課題】
【０００４】
しかしながら、前述した従来のものでは、操作盤の奥行き寸法の低減を図ることができるものの、プリント基板に釦を実装する構造であることから、釦配列に自由度がなかった。また、釦が乱暴に操作されると、その衝撃が釦からプリント基板に伝わり、プリント基板を損傷する恐れがあった。
【０００５】
本発明は、前述した従来技術における実状からなされたもので、その目的は、奥行き寸法の低減を図るとともに、釦配列の自由度を増し、かつ堅牢なエレベータのかご内横型操作盤を提供することにある。
【課題を解決するための手段】
【０００６】
前記目的を達成するために、本発明の請求項１に係る発明は、乗かごの行先階を登録する階床釦と、エレベータのドアを開閉させる戸開閉釦と、これらの釦が取付けられる表板と、前記釦とエレベータの制御盤との間で各種信号の授受を行うプリント基板と、その開口部が前記表板で覆われるとともに、前記プリント基板が収納されるボックスとを有して成るエレベータのかご内横型操作盤において、前記プリント基板を前記表板と重なり合わないように下方にずらし、かご側板の裏側に位置するように配置するとともに、前記釦、前記プリント基板及び前記制御盤とを接続手段により接続することを特徴としている。
【０００７】
このように構成した本発明の請求項１に係る発明では、プリント基板を、乗かごの行先階を登録する階床釦、及びエレベータのドアを開閉させる戸開閉釦が取付けられる表板と重なり合わないように下方にずらして配置することにより、操作盤の奥行き寸法を低減することができる。また、釦はプリント基板に直接実装されるものでないことから、釦配列の自由度を増すことができるとともに、釦操作の際の衝撃がプリント基板に影響することを防ぐことができる。
【０００８】
また、本発明の請求項２に係る発明は、前記接続手段は、前記釦に接続される釦ハーネスと、前記プリント基板の上部に備えられ、前記釦ハーネスが接続される上部コネクタと、前記プリント基板の下部に備えられ、制御盤ハーネスが接続される下部コネクタとを備えることを特徴としている。
【０００９】
このように構成した本発明の請求項２に係る発明では、釦ハーネスを上部コネクタを介してプリント基板の上部に接続するとともに、制御盤ハーネスを下部コネクタを介してプリント基板の下部に接続することで、各機器を効率良く接続することができる。
【００１０】
さらに、本発明の請求項３に係る発明は、前記ボックスの内壁に、コネクタ接続情報が記された銘板を設けたことを特徴としている。
【００１１】
このように構成した本発明の請求項３に係る発明では、ボックスの内壁に設けられる銘板にはコネクタ接続情報が記されていることから、各ハーネスと各コネクタとの接続作業を効率良く行うことができる。
【００１２】
さらにまた、本発明の請求項４に係る発明は、前記プリント基板は、スライド手段により上下方向にスライド可能に支持されることを特徴としている。
【００１３】
このように構成した本発明の請求項４に係る発明では、プリント基板がスライド手段により上下方向にスライド可能であることから、保守作業時の作業性を向上することができる。
【００１４】
また、本発明の請求項５に係る発明は、前記スライド手段は、前記プリント基板を上下方向に案内するレール部と、前記ボックスの所定高さ位置に配置され、前記プリント基板の下部が当接するストッパと、上方にスライドした前記プリント基板を所定高さ位置で保持する保持体とを備えることを特徴としている。
【００１５】
このように構成した本発明の請求項５に係る発明では、プリント基板はレール部により上下方向に案内され、上方にスライドさせた際、保持体により所定高さ位置で保持される。一方、下方にスライドさせた際、その下部がボックスの所定高さ位置に配置されたストッパに当接することで、位置決めがなされる。これによって、プリント基板の円滑な上下方向のスライドを実現できる。
【００１６】
さらに、本発明の請求項６に係る発明は、前記ボックスの所定位置に設けられる回転用ガイドと、一端が前記回転用ガイドに回転自在に軸支されるプレートと、一端が前記プリント基板の下部、他端が前記プレートの他端にそれぞれ接続される連結棒とを備えるとともに、前記回転用ガイド及び前記プレートに前記制御盤ハーネスを係合させ、前記連結棒を介して前記プリント基板のスライドに連動して前記プレートを回転させることで前記制御盤ハーネスの動きを抑制することを特徴としている。
【００１７】
このように構成した本発明の請求項６に係る発明では、プリント基板が上下方向にスライドする際、連結棒を介してプレートを回転させることで、プリント基板から下方に伸長する制御盤ハーネスの動きを抑制することができる。
【発明の効果】
【００１８】
本発明によれば、プリント基板を表板と重なり合わないように下方にずらして配置することにより、操作盤の奥行き寸法を低減することができ、省スペース化に対応可能なものとすることができる。また、釦はプリント基板に直接実装されるものでないことから、釦配列の自由度を増すことができ、これによって、操作性及び意匠性の観点から望ましいと思われる釦配列を実現できる。さらに、釦はプリント基板に直接実装されるものでないことから、釦操作の際の衝撃がプリント基板に影響することを防ぎ、故障の低減を図ることができる。
【発明を実施するための最良の形態】
【００１９】
以下、本発明のエレベータのかご内横型操作盤に係る実施の形態を図に基づいて説明する。
【００２０】
図１は本発明のエレベータのかご内横型操作盤に係る一実施形態を示す正面図、図２は図１のかご内横型操作盤の要部断面図である。
【００２１】
エレベータの乗かごには図１及び図２に示すように、乗かごの内壁を構成する横側板Ａに、水平方向が長手となるかご内横型操作盤１が設置されており、本実施形態のかご内横型操作盤１は、乗かごの行先階を登録する階床釦２と、エレベータのドアを開閉させる戸開閉釦３と、外部との連絡を行うためのインターホン釦４と、これらの釦２〜４が取付けられる表板５と、釦２〜４と図示しないエレベータの制御盤との間で各種信号の授受を行うプリント基板６と、その開口部が表板５で覆われるとともに、プリント基板６が収納されるボックス７とを備えている。
【００２２】
また、プリント基板６は、表板５と重なり合わないように下方にずらし、かご側板Ａの裏側に位置するように配置されている。
【００２３】
さらに、釦２〜４、プリント基板６及び制御盤はそれぞれ接続手段により接続されている。即ち、釦２〜４に接続される釦ハーネス１０と、プリント基板６の上部に備えられ、釦ハーネス１０が接続される複数の上部コネクタ１１と、プリント基板６の下部に備えられ、制御盤ハーネス１２が接続される下部コネクタ１３とが備えられている。
【００２４】
また、ボックス７の内壁に、コネクタ接続情報が記された銘板２０が設けられている。
【００２５】
本実施形態にあっては、釦２〜４が取付けられる表板５の寸法は既存のものと同等とする一方、ボックス７を下方向に延長し、このボックス７の下部延長部に、プリント基板６を収納するようになっている。
【００２６】
本実施形態によれば、プリント基板６を表板５と重なり合わないように下方にずらして配置することにより、操作盤１の奥行き寸法を低減することができ、省スペース化に対応可能なものとすることができる。また、釦２〜４はプリント基板６に直接実装されるものでないことから、釦配列の自由度を増すことができ、これによって、操作性及び意匠性の観点から望ましいと思われる釦配列を実現できる。さらに、釦２〜４はプリント基板６に直接実装されるものでないことから、釦操作の際の衝撃がプリント基板６に影響することを防ぎ、故障の低減を図ることができる。さらにまた、ボックス７の内壁に設けられる銘板２０にはコネクタ接続情報が記されていることから、各ハーネス１０、１２と各コネクタ１１、１３との接続作業を効率良く行うことができる。
【００２７】
図３は本発明のエレベータのかご内横型操作盤に係る他の実施形態を示す要部断面図、図４はプリント基板を上方にスライドさせた状態を示すかご内横型操作盤の要部断面図である。なお、前述した図１及び図２に示すものと同等のものには同一符号が付してある。
【００２８】
他の実施形態のかご内横型操作盤１ａは図３に示すように、プリント基板６が、スライド手段により上下方向にスライド可能に支持されている。即ち、ボックス７のプリント基板６側方に設けられ、プリント基板６を上下方向に案内するレール部３１と、ボックス７の所定高さ位置に配置され、プリント基板６の下部が当接するストッパ３２と、プリント基板６の切欠き６ａに係合可能であり、上方にスライドしたプリント基板６を所定高さ位置で保持する保持体３３とを備えている。また、ボックス７の所定位置に設けられる回転用ガイド３４と、一端が回転用ガイド３４に回転自在に軸支されるプレート３５と、一端がプリント基板６の下部、他端がプレート３の他端にそれぞれ接続される連結棒３６とが設けられている。さらに、前述の回転用ガイド３４及びプレート３５はそれぞれ対となるように設けられており、その間隙に制御盤ハーネス１２が係合するように配置されている。
【００２９】
他の実施形態にあっては、エレベータ通常運転時は図３に示すように、レール部３１に係合したプリント基板６下端をストッパ３２に当接させ、最下位置に位置決めした状態とする。一方、釦交換等、表板５をボックス７から取外すことを要する保守作業時には図４に示すように、プリント基板６を上方向に移動するとともに、保持体３３をプリント基板６の切欠き６ａに係合させ、プリント基板６を所定高さ位置で保持する。この保持体３３は、プリント基板６が自重にて下方向へ移動することを防ぐものであり、一定以上の力を加えると保持体３３と切欠き６ａとの係合が解除され、プリント基板６は下方向へ移動し、通常運転時の位置に戻る。また、プリント基板６の上下スライドに応じ、連結棒３６を介してプレート３５が回転し、プリント基板６から下方に伸長する制御盤ハーネス１２の動きを抑制するようになっている。
【００３０】
他の実施形態によれば、プリント基板６を上下方向にスライド可能とすることにより、保守作業時の作業性を向上することができる。また、プリント基板６が上下方向にスライドする際、連結棒３６を介してプレート３５を回転させることで、プリント基板６から下方に伸長する制御盤ハーネス１２の動きを抑制し、これによって、制御盤ハーネス１２の絡まり、引掛りを防ぐことができる。
【図面の簡単な説明】
【００３１】
【図１】本発明のエレベータのかご内横型操作盤に係る一実施形態を示す正面図である。
【図２】図１のかご内横型操作盤の要部断面図である。
【図３】本発明のエレベータのかご内横型操作盤に係る他の実施形態を示す要部断面図である。
【図４】プリント基板を上方にスライドさせた状態を示すかご内横型操作盤の要部断面図である。
【図５】従来のエレベータのかご内横型操作盤を示す要部断面図である。
【符号の説明】
【００３２】
１、１ａ  かご内横型操作盤
２  階床釦
３  戸開閉釦
４  インターホン釦
５  表板
６  プリント基板
７  ボックス
１０  釦ハーネス（接続手段）
１１  上部コネクタ（接続手段）
１２  制御盤ハーネス（接続手段）
１３  下部コネクタ（接続手段）
２０  銘板
３１  レール部（スライド手段）
３２  ストッパ（スライド手段）
３３  保持体（スライド手段）
３４  回転用ガイド
３５  プレート
３６  連結棒
【図１】
2009113938.tif 000003
【図２】
2009113938.tif 000004
【図３】
2009113938.tif 000005
【図４】
2009113938.tif 000006
【図５】
2009113938.tif 000007